(57)【要約】対象物を着用者の頭で支えるように適合されたヘッドギア及び頭掛けシステム。可撓性の周囲バンドが、前方部分及び後方部分を有しており、当該可撓性周囲バンドの前方部分の少なくとも一部は、特定の構成を有する交換可能なヘッドバンドブリッジを有する。当該頭掛けシステムの構成は、当該交換可能なヘッドバンドブリッジを異なる構成の別のヘッドバンドブリッジと交換することによって、変更されてもよい。
2009534547.tif 000002
【特許請求の範囲】
【請求項１】
対象物を着用者の頭で支えるように適合された頭掛けシステムであり、
前方部分及び後方部分を有する可撓性の周囲バンドであって、前記可撓性周囲バンドの前記前方部分の少なくとも一部が、特定の構成を有する交換可能なヘッドバンドブリッジを含む周囲バンドを有し、
前記交換可能なヘッドバンドブリッジを異なる構成の別のヘッドバンドブリッジと交換することによって、前記頭掛けシステムの構成が変更可能である、頭掛けシステム。
【請求項２】
前記交換可能なヘッドバンドブリッジが、前記頭掛けシステムの寸法を変更するために、異なる長さのヘッドバンドブリッジと交換可能である特定の長さを有する、請求項１に記載の頭掛けシステム。
【請求項３】
前記特定の構成が、長さ、幅、材料、温度特性、及び取付け点から成る群から選択される、請求項１に記載の頭掛けシステム。
【請求項４】
２つの末端部を有して結合された頂部バンドを更に含み、前記２つの末端部のそれぞれが前記可撓性周囲バンドに側面位置において結合されている、請求項１に記載の頭掛けシステム。
【請求項５】
前記交換可能なヘッドバンドブリッジが、前記可撓性周囲バンドの残部分に解放可能に連結されている、請求項１に記載の頭掛けシステム。
【請求項６】
前記交換可能なヘッドバンドブリッジが、前記可撓性周囲バンドの残部分に、工具を使用することなく手で解放可能に連結されている、請求項５に記載の頭掛けシステム。
【請求項７】
前記交換可能なヘッドバンドブリッジが、前記可撓性周囲バンドの残部分を有する解放可能な連結具に、手でスナップを嵌め、スナップを外す、請求項６に記載の頭掛けシステム。
【請求項８】
前記交換可能なヘッドバンドブリッジが、解放可能に前記後方部分に連結されている、請求項６に記載の頭掛けシステム。
【請求項９】
前記交換可能なヘッドバンドブリッジが複数の削除部分を有して、前記交換可能なヘッドバンドブリッジの可撓性を増加し、重量を軽減している、請求項１に記載の頭掛けシステム。
【請求項１０】
前記複数の削除部分の少なくとも幾つかが、前記交換可能なヘッドバンドブリッジの１つの長手方向縁部まで延びている、請求項９に記載の頭掛けシステム。
【請求項１１】
前記複数の削除部分の少なくとも幾つかが、前記交換可能なヘッドバンドブリッジの両方の長手方向縁部まで延びている、請求項１０に記載の頭掛けシステム。
【請求項１２】
前記交換可能なヘッドバンドブリッジが、異なる長さを有して、前記可撓性周囲バンドの前記後方部分に関連づけられた比較的微細な寸法調節機構を更に含んだ、別のヘッドバンドブリッジとの交換により、比較的大まかな寸法調節機構を提供する、請求項１に記載の頭掛けシステム。
【請求項１３】
着用者を保護するように適合されたヘッドギアであり、
バイザーと、
請求項１に記載の頭掛けシステムと、を備える、ヘッドギア。
【請求項１４】
対象物を着用者の頭で支えるように適合された頭掛けシステムであり、
前方部分及び後方部分を有する可撓性の周囲バンドであって、前記可撓性周囲バンドの前記前方部分の少なくとも一部が互換性のある複数のヘッドバンドブリッジを含み、前記互換性のある複数のヘッドバンドブリッジのそれぞれが異なる構成を備えた周囲バンドを有し、
前記互換性のある複数のヘッドバンドブリッジの１つを異なる構成の前記互換性のある複数のヘッドバンドブリッジの別のものと交換することによって、前記頭掛けシステムが変更可能である、頭掛けシステム。
【請求項１５】
前記互換性のある複数のヘッドバンドブリッジのそれぞれが、前記頭掛けシステムの寸法を変更するために、異なる長さのヘッドバンドブリッジと交換可能である特定の長さを有する、請求項１４に記載の頭掛けシステム。
【請求項１６】
前記特定の構成が、長さ、幅、材料、温度特性、及び取付け点から成る群から選択される、請求項１４に記載の頭掛けシステム。
【請求項１７】
２つの末端部を有して結合された頂部バンドを更に含み、前記２つの末端部のそれぞれが前記可撓性周囲バンドに側面位置において結合されている、請求項１４に記載の頭掛けシステム。
【請求項１８】
前記互換性のある複数のヘッドバンドブリッジのそれぞれが、解放可能に前記可撓性周囲バンドの残部分に連結されている、請求項１４に記載の頭掛けシステム。
【請求項１９】
前記互換性のある複数のヘッドバンドブリッジの前記それぞれが、工具を使用することなく手で解放可能に、前記可撓性周囲バンドの残部分に連結されている、請求項１８に記載の頭掛けシステム。
【請求項２０】
前記互換性のある複数のヘッドバンドブリッジのそれぞれが、前記可撓性周囲バンドの残部分を有する解放可能な連結具に手でスナップ嵌めされ、スナップ外しされる、請求項１９に記載の頭掛けシステム。
【請求項２１】
前記互換性のある複数のヘッドバンドブリッジの前記が、解放可能に前記後方部分に連結されている、請求項１９に記載の頭掛けシステム。
【請求項２２】
前記互換性のある複数のヘッドバンドブリッジのそれぞれが複数の削除部分を有して、前記互換性のある複数のヘッドバンドブリッジのそれぞれの可撓性を増加しそれぞれの重量を軽減している、請求項１４に記載の頭掛けシステム。
【請求項２３】
前記複数の削除部分の少なくとも幾つかが、前記互換性のある複数のヘッドバンドブリッジのそれぞれの１つの長手方向縁部まで延びている、請求項２２に記載の頭掛けシステム。
【請求項２４】
前記複数の削除部分の少なくとも幾つかが、前記互換性のある複数のヘッドバンドブリッジのそれぞれの両方の長手方向縁部まで延びている、請求項２３に記載の頭掛けシステム。
【請求項２５】
前記互換性のある複数のヘッドバンドブリッジが比較的大まかな寸法調節機構を提供し、前記可撓性周囲バンドの前記後方部分に関連づけられた比較的微細な寸法調節機構を更に含む、請求項１４に記載の頭掛けシステム。
【請求項２６】
着用者を保護するように適合されたヘッドギアであり、
バイザーと、
請求項１４に記載の頭掛けシステムと、を備えるヘッドギア。
【請求項２７】
対象物を着用者の頭で支えるように適合された頭掛けシステム用の頭掛けキットであり、
前方部分及び後方部分を有する可撓性の周囲バンドと、
互換性のある複数のヘッドバンドブリッジであって、それぞれが異なる構成である複数のヘッドバンドブリッジと、を含み、
前記可撓性周囲バンドが、その少なくとも一部分を１つの前記互換性のある複数のヘッドバンドブリッジと交換可能にされており、
前記互換性のある複数のヘッドバンドブリッジの１つを選定して、前記可撓性周囲バンドの前記前方部分と共に使用することによって、特定の構成を有する前記頭掛けシステムを決定することができる、頭掛けキット。
【請求項２８】
前記互換性のある複数のヘッドバンドブリッジのそれぞれが、前記頭掛けシステムの寸法を変更するために異なる長さのヘッドバンドブリッジと交換可能である、特定の長さを有する、請求項２７に記載の頭掛けキット。
【請求項２９】
前記特定の構成が、長さ、幅、材料、温度特性、及び取付け点から成る群から選択される、請求項２７に記載の頭掛けキット。
【請求項３０】
２つの末端部を有して結合された頂部バンドを更に含み、前記２つの末端部のそれぞれが前記可撓性周囲バンドに側面位置において結合されている、請求項２７に記載の頭掛けキット。
【請求項３１】
前記互換性のある複数のヘッドバンドブリッジのそれぞれが、解放可能に前記可撓性周囲バンドの残部分に連結されている、請求項２７に記載の頭掛けキット。
【請求項３２】
前記互換性のある複数のヘッドバンドブリッジの前記それぞれが、工具を使用することなく手で解放可能に、前記可撓性周囲バンドの残部分に連結されている、請求項３１に記載の頭掛けキット。
【請求項３３】
前記互換性のある複数のヘッドバンドブリッジのそれぞれが、前記可撓性周囲バンドの残部分を有する解放可能な連結具に手でスナップ嵌めされ、スナップ外しされる、請求項３２に記載の頭掛けキット。
【請求項３４】
前記互換性のある複数のヘッドバンドブリッジの前記が、解放可能に前記後方部分に連結されている、請求項３２に記載の頭掛けキット。
【請求項３５】
前記互換性のある複数のヘッドバンドブリッジのそれぞれが複数の削除部分を有して、前記互換性のある複数のヘッドバンドブリッジのそれぞれの可撓性を増加しそれぞれの重量を軽減している、請求項２７に記載の頭掛けキット。
【請求項３６】
前記複数の削除部分の少なくとも幾つかが、前記互換性のある複数のヘッドバンドブリッジのそれぞれの１つの長手方向縁部まで延びている、請求項３５に記載の頭掛けキット。
【請求項３７】
前記複数の削除部分の少なくとも幾つかが、前記互換性のある複数のヘッドバンドブリッジのそれぞれの両方の長手方向縁部まで延びている、請求項３６に記載の頭掛けキット。
【請求項３８】
前記互換性のある複数のヘッドバンドブリッジが、比較的大まかな寸法調節機構を提供し、前記可撓性周囲バンドの前記後方部分に関連づけられた比較的微細な寸法調節機構を更に含む、請求項２７に記載の頭掛けキット。
【請求項３９】
対象物を着用者の頭で支えるように適合された頭掛けシステムであって、前方部分及び後方部分を有する可撓性の周囲バンドを含み、前記可撓性周囲バンドの前記前方部分の少なくとも一部が互換性のある複数のヘッドバンドブリッジを含み、前記互換性のある複数のヘッドバンドブリッジのそれぞれが異なる構成である頭掛けシステム、を調整する方法であって、
前記互換性のある複数のヘッドバンドブリッジの１つを選定する工程と、
前記互換性のある複数のヘッドバンドブリッジの前記１つを前記周囲バンド中に取り付け、これにより前記頭掛けシステムの構成を変更する工程と、を含む方法。
【請求項４０】
前記互換性のある複数のヘッドバンドブリッジのそれぞれが、前記頭掛けシステムの寸法を変更するために、異なる長さのヘッドバンドブリッジと交換可能である特定の長さを有する、請求項３９に記載の方法。
【請求項４１】
前記特定の構成が、長さ、幅、材料、温度特性、及び取付け点から成る群から選択される、請求項３９に記載の頭掛けキット。
【請求項４２】
前記取付け工程の前に、前記互換性のある複数のヘッドバンドブリッジの別の１つを取り外す工程を更に含む、請求項３９に記載の方法。
【請求項４３】
前記取付け工程が、前記互換性のある複数のヘッドバンドブリッジの前記１つを解放可能に前記可撓性周囲バンドの残部分に取り付ける、請求項４２に記載の方法。
【請求項４４】
前記取付け工程が、工具の使用無しに手で達成される、請求項４３に記載の方法。
【請求項４５】
前記取付け工程が、前記互換性のある複数のヘッドバンドブリッジの前記１つを前記可撓性周囲バンドの残部分にスナップ嵌めすることによって達成される、請求項４４に記載の方法。
【請求項４６】
前記取付け工程が、前記互換性のある複数のヘッドバンドブリッジの前記１つを解放可能に前記後方部分に取り付ける、請求項４４に記載の方法。
【請求項４７】
前記互換性のある複数のヘッドバンドブリッジのそれぞれが複数の削除部分を有して、前記互換性のある複数のヘッドバンドブリッジのそれぞれの可撓性を増加しそれぞれの重量を軽減している、請求項３９に記載の方法。
【請求項４８】
前記複数の削除部分の少なくとも幾つかが、前記互換性のある複数のヘッドバンドブリッジのそれぞれの１つの長手方向縁部まで延びている、請求項４７に記載の方法。
【請求項４９】
前記複数の削除部分の少なくとも幾つかが、前記互換性のある複数のヘッドバンドブリッジのそれぞれの両方の長手方向縁部まで延びている、請求項４８に記載の方法。
【請求項５０】
前記互換性のある複数のヘッドバンドブリッジが、比較的大まかな寸法調節機構を提供し、前記可撓性周囲バンドの前記後方部分で比較的微細な寸法調節を行う工程を更に含む、請求項３９に記載の方法。
【発明の詳細な説明】
【技術分野】
【０００１】
本発明は、一般に、寸法又は構成の調節を有する頭掛けシステム及びヘッドギアと、頭掛けシステムを調節し、構成する方法とに関する。
【背景技術】
【０００２】
保護ヘルメット、特に溶接用ヘルメットは、重くて扱いにくいものになり勝ちである。保護ヘルメットの重量は、既に熱及びその他の不利な環境の厳しい条件の中で働いていることが多い着用者にとって、負担となる場合もある。保護ヘルメットの重量が、その負担に更に加わる。
【０００３】
保護ヘルメット用の頭掛けシステムは、ヘルメットを快適にするために、着用者の特定の要求に対して調節されなければならない。フィットの悪いヘルメットは、特に重いものは、着用者にとって非常に不快なことがあり、これが作業ミス、及び可能性として怪我に繋がる場合もある。
【０００４】
溶接用ヘルメットなどの従来型保護ヘルメットの調節機構は、典型的には、嵩高か、調節が困難のいずれか、又はその両方である。嵩高い調節ノブを必要とする調節機構が、保護ヘルメットにかなりの重量を加える場合もある。一般的な調節機構は又、取り外し可能で交換可能なボルト又は止めねじを必要とすることがあり、これが調節を非常に困難にする場合もある。外されなければならないボルトは、往々にして外された多数のボルト、ナット、及びワッシャとなり、このために再組立が困難になることがある。このことは、着用者が手袋などの保護手覆いを着けている時に、特に当てはまる場合がある。
【０００５】
幾つかの頭掛けシステムは、ストラップの位置替えにより調節されてもよい。ヘッドバンドストラップの位置替えにより調節される頭掛け調節機構の一例が、米国特許第５，６０８，９１７号「人間工学的ヘッドバンド装置（Ergonomic Head Band Apparatus）」（ランディス（Landis）ら）にて開示されている。人間工学的ヘッドバンドは、上向きに湾曲する第一及び第二の側面弧状セグメントを有するストラップと、前方弧状領域と、着用者の頭の後方で共に連結されるテール（複数）とを包含する。テールは、それぞれの他方の上で位置替えが可能であり、よく知られた寸法調節を提供する。顔面遮蔽体又は他の装置が、ヘッドバンドに連結されてもよい。
【０００６】
他のヘッドギア支持体は、互いに相対的に摺動する末端部が付いたヘッドバンドで調節を可能にする。例が、米国特許第３，５００，４７４号「調節可能なヘッドバンド（Adjustable Headband）」（オースティン（Austin））；摺動可能に配置された調節装置を提供する、米国特許第４，８８８，８３１号「硬い帽子殻と共に使用するための調節可能なヘッドバンド掛けシステム（Adjustable Head Band Suspension System For Use With Hard Hat Shell）」（オレソン（Oleson））；長手方向に間隔のある複数のスロットと間隔のあるスロットに端部が摺動可能に受け入れられる溝形部が付いた弾力的ファスナとを有する、米国特許第５，８９６，５８６号「弾力的に曲り可能なファスナ表面を有する調節可能なヘッドバンド（Adjustable Headband Having a Resiliently Bowable Fastener Surface）」（フロインド（Freund））；並びに一体に形成された摺動可能な調節機構を有する、米国特許第６，３４１，３８２号「一片からなる調節可能なヘッドギア支持体（One-Piece Adjustable Headgear Support）」（リビン（Ryvin）ら）に見出される。しかしながら、そのような調節機構は、着用者が現場で調節することがいつも容易であるわけではなく、不必要な重量を保護ヘルメットに加える可能性がある。
【０００７】
米国特許第５，０７７，８３６号「ヘッドギア（Headgear）」（アイドフ（Idoff）ら）は、バイザーなどの保護具を取り付けるためのヘッドギアを開示している。そのヘッドバンドは、額バンド区域、側バンド区域、及び首バンド区域を包含する。首バンド部分は、ノブで固定される摺動可能な部分が含まれている調節機構を包含する。加えて、額区域は調節可能なバックルを包含する。再び、その調節機構は、ユーザーが調節するのが過度に困難な場合もあり、不必要な重量をヘッドギアに加える可能性がある。
【０００８】
米国特許第４，９４２，６２８号「ラチェット調節を有するヘルメット掛け（Helmet Suspension Having Ratchet Adjustment）」（フロインド（Freund））は、頭掛けの寸法を調節するためのラチェット調節を有する頭保護体又はヘルメット掛けを開示している。調節ノブが、ラチェットケース内のピンに係合して、頭掛け寸法を適所に固定する。調節ノブ及びラチェット機構が、不必要な重量をヘルメットに加える可能性がある。
【０００９】
米国特許第５，５７１，２１７号「人の頭を保護するための保護組立品（Protective Assembly For The Protection Of The Human Head）」（デルボン（Del Bon）ら）は、保護組立品を着用する人の頭に連結されるように適合された、円形支持構造体を有する保護組立品を開示している。保護バイザーが、枢動可能に支持構造体に連結されて、下側の作用位置と上側の静止位置に旋回される。後部ラチェット調節機構が、ヘッドバンドに寸法調節をもたらす。ラチェット機構が、不必要な重量をヘルメットに加える可能性がある。
【特許文献１】米国特許第５，６０８，９１７号
【特許文献２】米国特許第３，５００，４７４号
【特許文献３】米国特許第４，８８８，８３１号
【特許文献４】米国特許第５，８９６，５８６号
【特許文献５】米国特許第６，３４１，３８２号
【特許文献６】米国特許第５，０７７，８３６号
【特許文献７】米国特許第４，９４２，６２８号
【特許文献８】米国特許第５，５７１，２１７号
【特許文献９】米国特許第７，００７，３０６号
【発明の開示】
【発明が解決しようとする課題】
【００１０】
米国特許第７，００７，３０６号「顔面遮蔽組立品（Face Shield Assembly）」（ハワード（Howard）ら）は、フレームとフレームにより支えられた取り外し可能な保護要素とが包含されている、顔面遮蔽組立品を開示している。フレームは、上側の（使用外）位置と下側の（使用中）位置との間を移動可能であるように、枢動可能に支持構造体に支持される。後部調節ノブが、後部ヘッドバンド部分を摺動可能な位置中で選択的に固定可能にして、後部寸法の調節をもたらす。再び、後部調節ノブ及び摺動機構が、不必要な重量をヘルメットに加える可能性がある。
【課題を解決するための手段】
【００１１】
本発明は、軽量で調節が容易で快適な頭掛けシステム、ヘッドギア、及び調節方法を提供する。当該保護ヘッドギアは、着用者によって現場の困難な条件中で使用されてもよく、それにもかかわらず、着用者にフィットするように工具無しで容易に調節されて、安全で快適な作業環境をもたらす可能性がある。
【００１２】
本発明は、ある実施形態において、対象物を着用者の頭で支えるように適合された頭掛けシステムを提供する。可撓性の周囲バンドが、前方部分及び後方部分を有しており、可撓性周囲バンドの前方部分の少なくとも一部は、特定の構成を有する交換可能なヘッドバンドブリッジを有する。したがって、頭掛けシステムの構成が、交換可能なヘッドバンドブリッジを異なる構成の別のヘッドバンドブリッジと交換することによって、変更されてもよい。
【００１３】
本発明は、ある実施形態において、対象物を着用者の頭で支えるように適合された頭掛けシステムを提供する。可撓性の周囲バンドが、前方部分及び後方部分を有しており、可撓性周囲バンドの前方部分の少なくとも一部は、互換性のある複数のヘッドバンドブリッジを含み、互換性のある複数のヘッドバンドブリッジのそれぞれが異なる構成である。したがって、頭掛けシステムが、互換性のある複数のヘッドバンドブリッジの１つを異なる構成の互換性のある複数のヘッドバンドブリッジの別のものと交換することによって、変更されてもよい。
【００１４】
本発明は、ある実施形態において、可撓性周囲バンドを有して、対象物を着用者の頭で支えるように適合された、頭掛けシステム用の頭掛けキットを提供しており、可撓性周囲バンドが、前方部分及び後方部分と互換性のある複数のヘッドバンドブリッジとを有し、互換性のある複数のヘッドバンドブリッジのそれぞれが異なる構成である。可撓性周囲バンドは、その少なくとも一部分を互換性のある複数のヘッドバンドブリッジの１つと交換可能にされている。したがって、特定の構成を有する頭掛けシステムが、互換性のある複数のヘッドバンドブリッジの１つを選定して可撓性周囲バンドの前方部分と共に使用することによって、決定されてもよい。
【００１５】
ある実施形態では、ヘッドバンドブリッジは、特定の長さを有しており、頭掛けシステムの寸法変更のために、異なる長さのヘッドバンドブリッジと交換されてもよい。
【００１６】
ある実施形態では、特定の構成は、長さ、幅、材料、温度特性、及び取付け点から成る群から選択される。
【００１７】
ある実施形態では、追加的に、２つの末端部を２つの末端部のそれぞれと共に有する頂部バンドが、可撓性の周囲バンドに側面位置において結合されている。
【００１８】
ある実施形態では、互換性のある複数のヘッドバンドブリッジのそれぞれが、解放可能に可撓性周囲バンドの残部分に連結されている。
【００１９】
ある実施形態では、互換性のある複数のヘッドバンドブリッジのそれぞれが、工具を使用せずに手で解放可能に、可撓性周囲バンドの残部分に連結されている。
【００２０】
ある実施形態では、互換性のある複数のヘッドバンドブリッジのそれぞれが、可撓性周囲バンドの残部分を有する解放可能な連結具に手でスナップ嵌めされ、スナップ外しされる。
【００２１】
ある実施形態では、互換性のある複数のヘッドバンドブリッジが、解放可能に後方部分に連結されている。
【００２２】
ある実施形態では、ヘッドバンドブリッジは、複数の削除部分を有して、互換性のある複数のヘッドバンドブリッジのそれぞれの可撓性を増加し、重量を軽減している。
【００２３】
ある実施形態では、複数の削除部分の少なくとも幾つかは、互換性のある複数のヘッドバンドブリッジのそれぞれの１つの長手方向縁部まで延びている。
【００２４】
ある実施形態では、複数の削除部分の少なくとも幾つかは、互換性のある複数のヘッドバンドブリッジのそれぞれの両方の長手方向縁部まで延びている。
【００２５】
ある実施形態では、ヘッドバンドブリッジは、比較的大まかな寸法調節機構を提供し、及び更に、可撓性周囲バンドの後方部分に関連づけられた比較的微細な寸法調節機構を含む。
【００２６】
ある実施形態では、頭掛けシステムはヘッドギア中で利用される。
【００２７】
本発明は、ある実施形態において、対象物を着用者の頭で支えるように適合された頭掛けシステムを調節する方法を提供する。頭掛けシステムは、前方部分及び後方部分を有する可撓性周囲バンドを有する。可撓性周囲バンドの前方部分の少なくとも一部分は、互換性のある複数のヘッドバンドブリッジを有し、互換性のある複数のヘッドバンドブリッジのそれぞれは異なる構成である。互換性のある複数のヘッドバンドブリッジの１つが選定される。選定されたヘッドバンドブリッジが、周囲バンド中に取り付けられ、これにより頭掛けシステムの構成を変更する。
【００２８】
ある実施形態では、選定されたヘッドバンドブリッジが取り付けられる前に、互換性のある複数のヘッドバンドブリッジの別の１つが取り外される。
【００２９】
ある実施形態では、互換性のある複数のヘッドバンドブリッジは、比較的大まかな寸法調節機構を提供しており、及び更に、可撓性周囲バンドの後方部分で比較的微細な寸法調節を行う工程を含む。
【発明を実施するための最良の形態】
【００３０】
この説明中で用いられるとき、次の用語は示されている意味を有する。
【００３１】
「ヘッドギア」は、着用者の頭上に着けられるように又はこれにより支えられるように意図された多数の一般的な保護品目のいずれかを意味しており、ヘルメットが、特に溶接用ヘルメットが挙げられるが、これに限定されない。
【００３２】
「バイザー」は、着用者の頭、顔、又は首を保護するために使用されてもよい多数の装置のいずれかを意味しており、バイザー、顔マスク、顔面遮蔽体が挙げられるが、これらに限定されない。
【００３３】
「頭掛けシステム」は、それによってヘッドギアがヘッドギアの着用者の頭により支えられてもよい機構を意味する。
【００３４】
「構成」は、特定の特性を有する、並びに頭掛けシステムに関係するときには、長さ、幅、材料、温度特性例えば加熱又は冷却、及び取付け点（単数又は複数）他を有する、特定の仕組又は構造を意味する。
【００３５】
「周囲バンド」は、着用者の頭を少なくとも部分的に概ね包囲して、着用者の頭に対して頭掛けシステムを支える、頭掛けシステムの部分を意味するが、そのような周囲バンドは、いずれか特定の場所において頭を実際に包囲する必要は無く、頭の真の周囲において頭に実際に接触する必要は無い。
【００３６】
「前方部分」は、頭掛けシステムの着用者の頭の概ね前方部分に向いて位置する、頭掛けシステムの部分を意味する。
【００３７】
「後方部分」は、頭掛けシステムの着用者の頭の概ね後方部分に向いて位置する、頭掛けシステムの部分を意味する。
【００３８】
「側面位置」は、頭掛けが着用者の頭上で正規に位置する時に、着用者の頭の概ね側面に向いて位置する場所（単数又は複数）を意味する。
【００３９】
図１は、ヘッドギア１０及び付随する頭掛けシステム１２の斜視図を示す。バイザー又は顔面遮蔽体１４が、側面取付け位置１６において、頭掛けシステム１２に取り付けられている。ヘッドギア１０の意図される用途に依存して、異なるタイプのバイザー又は顔面遮蔽体１４が、使用されてもよい。例えば、溶接用ヘルメットであれば、顔面遮蔽体１４に収納され交換可能なことが多い、保護接眼レンズを有する顔面遮蔽体１４が使用されてもよい。
【００４０】
側面取付け位置１６により、好ましくは、バイザー又は顔面遮蔽体１４が、着用者の顔の前にバイザー１４がある仕事の準備ができた下方位置と、着用者の頭の上にバイザー１４があって妨げの無い視界が得られる上方位置との間を、旋回可能になる。
【００４１】
頭掛けシステム１２は全体的に、周囲バンド１８及び頂部バンド２８からなる。周囲バンド１８は、着用者の概ね頭上に位置し、着用者の頭及び顔に関係してバイザー１４を支える。周囲バンド１８の後方部分２０には、摺動部２６中に保持されたラチェット部材２４からなる微調節機構２２が収納され、これが後方部分２０の別々の部品の末端部を共に調節可能な方法で調節可能に固定する。微調節機構２２などの調節機構は、当該技術分野において周知である。
【００４２】
頭掛けシステム１２はまた、「大まかな」又は大調節機構も収納する。したがって、微調節機構２２は、別個の大まかな調節機構の存在のために、そのような寸法すなわち長さの大きな変化に適応する必要が無いので、より小さく及びより軽量に構成されてもよい。
【００４３】
頭掛けシステム１２はまた、周囲バンド１８に取り付けられた、及び着用者の頭の頂部上を通って追加の支持をもたらすように意図された、頂部バンド２８も有する。頂部バンド２８は、摺動調節機構３０によって、フィットのために調節可能になる。
【００４４】
摺動取付け部３２が、この実施形態ではバイザー１４用の取付け点としても働いており、摺動チャネル３４により周囲バンド１８に固定されている。摺動取付け部３２は、枢動可能にバイザー１４に連結されている。ヘッドギア１０が着用者により着用されている間、摺動取付け部に連結された弾力的タブ３６により、バイザー１４が、着用者の顔に関して前後に調節可能になる。弾力的タブ３６は、着用者又は他の者に掴まれて引き上げられて、突出部又はペグ３８が周囲バンド１８上又は内に収納した穴４０と外れるようにされてもよい。外れると、弾力的タブ３６は容易に操られ、摺動取付け部３２を前向きに摺動させるとバイザー１４が外向きに移動し、又は後ろ向きに摺動させるとバイザー１４が内向きに移動する。弾力的タブ３６は、突出部又はペグ３８を穴４０の別の１つへ解放して、バイザー１４を着用者の顔に関して別の位置に固定してもよい。弾力的タブ３６の弾力的性質によって、突出部又はペグ３８は、そのような弾力的タブ３６が再び引き上げられてバイザー１４を前方／後方位置に固定するまで、穴４０内に保持可能となる。バイザー１４は、依然として、摺動取付け部３２上で旋回されてもよい。
【００４５】
図２は、更なる明瞭化のために、取り付けられるバイザー又は顔面遮蔽体１４が無い頭掛けシステム１２を示す。図２は、周囲バンド１８を有する頭掛けシステム１２の前方部分４２のより良い図を提供する。周囲バンド１８の前方部分４２は、交換可能なブリッジ４４又は互換性のある複数のブリッジ４４の１つと共に示されている。ブリッジ４４は、その両末端部において、周囲バンド１８に連結されている。ブリッジ４４は、前方部分４２の大部分を取り巻いて示されているが、前方部分４２のより小さい部分又はより大きい部分を取り巻いてもよいことを認識及び理解すべきである。ブリッジ４４は、前方部分４２の場所でより優れた作用及び性能を予想されているが、後方部分２０に収容されることも可能である。
【００４６】
２つ以上のブリッジ４４が、単一の周囲バンド１８に使用されることも可能である。この場合、複数のブリッジ４４の１つ以上が異なる組合せで使用されて、可能な長さ調節を更により大きく可変にしてもよい。
【００４７】
ブリッジ４４中の好ましくは幾つか、多数、又は複数の削除部分又は開口部４６は、ブリッジ４４に、ひいては、ブリッジ４４がその一部である周囲バンド１８に、追加の可撓性をもたらす。そのような削除部分又は開口部４６は又、周囲バンド１８に追加の軽量性をもたらす。ブリッジ４４の対向する両側から交互に延びる削除部分４６として示されているが、そのような削除部分４６は、ブリッジ４４の１つの縁部だけから延びることもでき、代わりにブリッジ４４のいずれの側の縁部にも延びないブリッジ４４内の開口部４６又は穴であってもよく、若しくは削除部分４６及び開口部４６の両方が使用されてもよいことを、認識及び理解すべきである。
【００４８】
ブリッジ４４は、異なる構成で提供されてもよい。図３に示されるように、ブリッジ４４ａは、ブリッジ４４ｂより長さがかなり短い。ブリッジ４４ａをブリッジ４４ｂに取り替える、変更する、又は交換することによって、周囲バンド１８の大まかな寸法調節を行うことができ、この例では、周囲バンド１８の周囲をより長くすることができる。周囲バンド１８の長さのこの大まかな調節により、微調節機構２２を、はるかにより小さく、複雑さがより少なく、並びに重要なことに、より軽く、より安価にすることができる。
【００４９】
図３のブリッジ４４ａ及びブリッジ４４ｂのようなブリッジ４４は、図４及び図５に示されるように、容易に取り替えられてもよい。図４は、周囲バンド１８から外れた、又は分離されたブリッジ４４を示す。ブリッジ４４の末端部４８は、好ましくは図示されるスナップ嵌め及びスナップ外し仕組で、周囲バンド１８の末端部５０と容易に噛み合わされてもよい。そのようなスナップ嵌め、スナップ外しの連結機構は、例えばベルト連結具で使用されているように、一般的なものであり、又当該技術分野において周知である。
【００５０】
図５には、ブリッジ４４の末端部４８が、周囲バンド１８の末端部５０にスナップ嵌めされ、連結係合されているのが示される。そのようなスナップ嵌め、スナップ外しの連結は、工具を必要とせず、非常に軽量であり、使用が簡単である。末端部（４８、５０）は、ヘッドギア着用者が着けていることがある手袋と共にでさえ、容易に掴んで操作されてもよい。
【００５１】
ブリッジ４４により、若しくは例えばブリッジ４４ａ及びブリッジ４４ｂなどの複数のブリッジにより具現されるような、周囲バンド１８用の大まかな調節の機構は、利用可能であることを要する別個の噛み合い部品を必要とすることがあるが、ヘッドギア１０は一般に、単一の着用者だけにより着用されるのが普通であることを理解すべきである。この着用者はそれであれば、その着用者の大まかな寸法調節のために必要とされる特定のブリッジ４４を選定して、ヘッドギア１０を着けることができる。当該着用者は、次に、微調節機構２２を用いて、ヘッドギア１０を着用するのに快適及び安全にして、仕事の準備をすることができる。この着用者が、戻ってブリッジ４４の交換により追加の大まかな調節をしなければならない可能性は少なく、したがって、ブリッジ４４を着用者の身体上で使われないままにしておく必要が無い。当該着用者は、依然として、ヘッドギア１０を使用している間に、微調節機構２２を用いて、微調節することができる。しかしながら、例えば着用者が異なる、又は往々にしてあることに着用者の頭周りの追加の保護巻き付け又はスカーフなどで、大まかな調節の実施がどうしても必要な場合には、交換用又は互換性のあるブリッジ４４を利用して、重量、快適性、又は微調節能力を損なうことなく、必要な大まかな調節を行うことができる。
【００５２】
長さ調節に代えて、又は長さ調節に加えて、複数のブリッジ４４又は交換可能なブリッジ４４を使用して、頭掛けシステム１２の他の構成を変更してもよい。例として、異なる材料で組み立てられたブリッジ４４が使用されてもよい。多くの場合、特定の材料で、例えば例として、重量節減、耐化学性、及びコストのためのポリエチレン、温度許容性及び耐久性のためのナイロン類及びポリエステル類、並びに快適性及びある程度の伸張性のためのシリコーン又は架橋されたゴム、で組み立てられたブリッジ４４が、異なる材料で、例えば布又は織物で、組み立てられたブリッジ４４よりも、ある種の環境中で又はある種の仕事に対してより良く適する可能性がある。また、積層体などの複合材料が、例えば発泡体／プラスチックの積層体が使用されてもよく、その場合、発泡体が額に当たって置かれて、着用者の頭の形状により良く順応し、液体吸収性、吸い上げ作用、又はクッション性を提供するであろう。ミクロ構造化された、繊維性（fibroized）の、又は非平坦化された表面トポグラフィーを有する、額に接触することになる中実プラスチック材料を使用して、快適性、フィット、又は摩擦特性を改善することもできる。ウェブ状又は布地などの織り繊維構造も、実施形態中で使用することができる。例えば、フィットの改善のためにある程度の伸張性が望ましい場合、伸縮性にされた複合材も使用することができる。別の例として、異なる幅のブリッジ４４が使用されてもよい。ある幅のブリッジ４４が、他の仕事に対してよりもある種の仕事に対して、より快適な可能性がある。更に、ある種の温度特性のために特殊化されたブリッジ４４が、利用されてもよい。例として、冷却特性を有するブリッジ４４が、より暖かい気候又は環境中で使用されてもよい。逆に、加熱又は加温の特性を有するブリッジ４４が、より涼しい気候又は環境中で使用されてもよい。その上更に、種々のブリッジ４４は、異なる又は追加のいずれかの取付け点が組み込まれてもよく、若しくは既存取付け点の位置を移動又は修正してもよい。例として、特定のブリッジ４４に、照明要素用の取付け点を収納してもよい。ブリッジ４４は、その構造に組み込まれたある種の機械的機能を有してもよく、例えば、フィットの改善及び使用の多様性をもたらすために、頭掛けシステム１２から独立にブリッジ４４の回転及び曲がりを可能にする、一体ヒンジ及び旋回要素を有してもよい。交換可能なブリッジ４４又は互換性のあるブリッジ４４に対するこれらの代替使用例は、例示のみであり、その他の構成上の修正が考えられることを認識及び理解すべきである。
【００５３】
交換可能な、又は互換性のあるブリッジ４４は、周囲バンド１８を有する頭掛けシステム１２をより小さく、軽量に、より柔軟なフィットに、快適に、調節を容易に、また安価にすることができ、当該技術分野において示されるヘッドギア又は頭掛けシステムによっては達成されない著しい利点を提供する。
【００５４】
このように、本発明の実施形態が開示されている。本発明は、開示されたもの以外の実施形態でも実施可能であることを当業者は理解するであろう。開示された実施形態は、例証の目的で提示されているのであって、制限するものではなく、本発明は、当該請求項によってのみ限定される。
【図面の簡単な説明】
【００５５】
【図１】頭掛けシステムに取り付けられた保護ヘッドギアの斜視図。
【図２】図１の頭掛けシステムの斜視図。
【図３】図２の頭掛けシステム用の交換可能なヘッドバンドの２つの異なる構成を示す。
【図４】図２の頭掛けシステムから分離された、図３の交換可能なヘッドバンドの側面図。
【図５】図２の頭掛けシステムに連結された、図３の交換可能なヘッドバンドの側面図。
【図１】
2009534547.tif 000003
【図２】
2009534547.tif 000004
【図３】
2009534547.tif 000005
【図４】
2009534547.tif 000006
【図５】
2009534547.tif 000007
【国際調査報告】
2009534547.tif 000008
2009534547.tif 000009